(57)【特許請求の範囲】
【請求項１】
透光性とした保護管体（１）の内部に光源（２）が収容され、この保護管体（１）の端部に着脱式の防水栓体（３）を取り付けたものとしており、前記保護管体（１）の内周面（１ａ）の断面形状を多角形または長円形にし、前記防水栓体（３）を外方栓体（１１）と内方栓体（１２）とからなるものとし、前記外方栓体（１１）は、略円筒状に形成し、内部を挿入孔（１３）とし、内周面にネジ溝（１３ａ）を形成したものとし、前記内方栓体（１２）は、内部を挿入孔（１４）とし、外方端と内方端の中間部に傾斜周面（１５）を形成し、外方端側を小径とし、この小径部の外周面にネジ溝（１４ａ）を形成し、内周面の端部にテーパ周面（１７）を形成し、内方端側を大径とし、この大径部の外周面の断面形状を保護管体（１）の内周面（１ａ）に沿う形状にしたものとし、前記保護管体（１）の端部から防水栓体（３）の内方栓体（１２）を差し込むことにより、この内方栓体（１２）を保護管体（１）に回り止めし、前記内方栓体（１２）の傾斜周面（１５）に第一防水リング（１８）を装着すると共に、この内方栓体（１２）のテーパ周面（１７）に第二防水リング（１９）を装着し、前記第一防水リング（１８）と前記外方栓体（１１）の内方周端（１１ｂ）との間にリング押体（２０）を介在させ、前記内方栓体（１２）の挿入孔（１４）に被覆導線（Ｃ）が差し込まれた状態で、前記内方栓体（１２）のネジ溝（１４ａ）に前記外方栓体（１１）のネジ溝（１３ａ）をねじ込んでいき、前記第一防水リング（１８）を、前記内方栓体（１２）の傾斜周面（１５）に密着させると共に、前記保護管体（１）の内周面（１ａ）に密着させ、前記第二防水リング（１９）を、前記内方栓体（１２）のテーパ周面（１７）に密着させると共に、前記被覆導線（Ｃ）の外周面に密着させるようにしたことを特徴とする照明器具。
【請求項２】
前記第一防水リング（１８）を、外方栓体（１１）の内方周端（１１ｂ）との間に介在させたリング押体（２０）と接触するようにした接触周面（１８ａ）、内方栓体（１２）の傾斜周面（１５）に接触するようにした傾斜周面（１８ｂ）、保護管体（１）の内周面（１ａ）と接触するようにした外周面（１８ｃ）を有したリングとし、前記第二防水リング（１９）を、外方栓体（１１）の挿入孔（１３）の段差部（１３ｂ）と接触するようにした接触周面（１９ａ）、差し込まれた被覆導線（Ｃ）の外周面と接触するようにした内周面（１９ｂ）、内方栓体（１２）のテーパ周面（１７）と接触するようにした傾斜周面（１９ｃ）を有したリングとし、前記第一防水リング（１８）の傾斜周面（１８ｂ）を前記内方栓体（１２）の傾斜周面（１５）に密着させると共に、第一防水リング（１８）の外周面（１８ｃ）を前記保護管体（１）の内周面（１ａ）に密着させ、前記第二防水リング（１９）の傾斜周面（１９ｃ）を前記内方栓体（１２）のテーパ周面（１７）に密着させると共に、第二防水リング（１９）の内周面（１９ｂ）を前記被覆導線（Ｃ）の外周面に密着させるようにしたことを特徴とする請求項１記載の照明器具。
【請求項３】
前記外方栓体（１１）の内方周端（１１ｂ）に、前記第一防水リング（１８）の接触周面（１８ａ）が、前記リング押体（２０）を間に挟んで押圧されることにより、この第一防水リング（１８）が前記傾斜周面（１５）に沿って弾性変形し、さらに前記外方栓体（１１）の挿入孔（１３）の段差部（１３ａ）に、前記第二防水リング（１９）が押圧されることにより、この第二防水リング（１９）が前記テーパ周面（１７）に沿って弾性変形するようにしたことを特徴とする請求項２記載の照明器具。
【請求項４】
前記内方栓体（１２）の傾斜周面（１５）の傾斜角（α１ ）および第一防水リング（１８）の傾斜周面（１８ｂ）の傾斜角（α２ ）を、１５〜４５度にし、内方栓体（１２）のテーパ周面（１７）の傾斜角（β１ ）および第二防水リング（１９）の傾斜周面（１９ｃ）の傾斜角（β２ ）を、１５〜４５度にしたことを特徴とする請求項２記載の照明器具。
【請求項５】
前記第一防水リング（１８）の外周面（１８ｃ）を、二個の凸外周面の間に一個の凹外周面を形成したものとしたことを特徴とする請求項２記載の照明器具。
【発明の詳細な説明】
【技術分野】
【０００１】
この発明は、トンネルや園芸ハウスなどの多湿な場所、建築工事や道路工事の現場などの雨がかかる屋外、水槽などの水中で使用可能な照明器具に関するものである。
【背景技術】
【０００２】
従来、この種の照明器具は、例えば図１３〜１７に示したように、透光性とした保護管体３１の内部に蛍光灯３２が収容され、この保護管体３１の両端に着脱式の防水栓体３３がそれぞれ取り付けられたものが存在する（特許文献１）。
【０００３】
この照明器具は、前記保護管体３１の端部から防水栓体３３の内方栓体３４を差し込み、この内方栓体３４を前記保護管体３１に回り止めし、前記内方栓体３４の接続部３５に形成したネジ溝３５ａに前記防水栓体３３の外方栓体３６の挿入部３７に形成したネジ溝３７ａをねじ込んでいくようにしている。そして、図１７に示したように、前記外方栓体３６の内方周端３６ａが、内方栓体３４の傾斜周面３８に装着した防水リング３９の接触周面３９ａに接触して押圧していくことにより、この防水リング３９がその傾斜周面３８に沿って移動すると共に弾性変形して、防水リング３９の傾斜周面３９ｂが内方栓体３４の傾斜周面３８に密着すると共に、防水リング３９の外周面３９ｃが保護管体３１の内周面３１ａに密着するようになる。したがって、この発明の照明器具は、このようにして保護管体３１の両端に着脱式の防水栓体３３を水密状態が保たれるようにして取り付けることができるものとなっている。
【０００４】
また、この照明器具において、前記内方栓体３４を保護管体３１に回り止めするには、この内方栓体３４の係止部４０の内方端に形成した係止溝４０ａを保護管体３１の内周面３１ａに設けた凸部３１ｂに係止させるようにしている。
【０００５】
さらに、この照明器具において、前記保護管体３１の両端に取り付けられた防水栓体３３の一方の内方栓体３４は、被覆導線Ｃを貫通するために、次のような構造にしている。すなわち、図１５、１６に示したように、内方端側をテ−パ面４１ａとし、外方端側にネジ溝４１ｂを形成した通孔４１を設け、この通孔４１のテ−パ面４１ａに、被覆導線Ｃを中心孔に差し込んだパッキン４２が嵌め込まれた状態で、前記通孔４１のネジ溝４１ｂにナット４３をねじ込むことにより、水密状態が保たれるようにして前記通孔４１に被覆導線Ｃを貫通したものとしている。
【先行技術文献】
【特許文献】
【０００６】
【特許文献１】特開２００８−１０３７４号公報
【発明の概要】
【発明が解決しようとする課題】
【０００７】
しかしながら、上記従来の照明器具では、前記内方栓体３４を保護管体３１に回り止めするために、内方栓体３４の係止部４０の内方端に係止溝４０ａを形成したり、保護管体３１の内周面３１ａに凸部３１ｂを設けたりしなければならず、内方栓体３４や保護管体３１の構造を少しでも複雑化してしまい、コスト面で不利であるという問題点を有していた。
【０００８】
さらに、上記従来の照明器具では、保護管体３１の内周面３１ａに凸部３１ｂを設けることによって、この保護管体３１の直径を少しでも大きくしなければならず、収容する蛍光灯３２の直径が小さいにも係わらず、嵩張ってしまい、小型化できないという問題点を有していた。
【０００９】
また、上記従来の照明器具では、水密状態を保つために、前記内方栓体３４の接続部３５に形成したネジ溝３５ａに、前記外方栓体３６の挿入部３７に形成したネジ溝３７ａをねじ込み、さらに前記内方栓体３４の通孔４１に形成したネジ溝４１ｂにナット４３のネジ溝をねじ込むようにしているので、ねじ込み操作が二度手間になり、またねじ込みを緩める操作も二度手間になり、蛍光灯３２を取り替えたり、保守、点検をするのが面倒であるという問題点を有していた。
【００１０】
そこで、この発明は、内方栓体や保護管体の構造を簡略化すると共に、保護管体の直径を小さくすることができ、さらに水密状態を保つために、保護管体への防水栓体のねじ込み操作を一度行なえばよいものとした照明器具を提供することを目的としてなされたものである。
【課題を解決するための手段】
【００１１】
そのため、この発明の照明器具は、透光性とした保護管体１の内部に光源２が収容され、この保護管体１の端部に着脱式の防水栓体３を取り付けたものとしており、前記保護管体１の内周面１ａの断面形状を多角形または長円形にし、前記防水栓体３を外方栓体１１と内方栓体１２とからなるものとし、前記外方栓体１１は、略円筒状に形成し、内部を挿入孔１３とし、内周面にネジ溝１３ａを形成したものとし、前記内方栓体１２は、内部を挿入孔１４とし、外方端と内方端の中間部に傾斜周面１５を形成し、外方端側を小径とし、この小径部の外周面にネジ溝１４ａを形成し、内周面の端部にテーパ周面１７を形成し、内方端側を大径とし、この大径部の外周面の断面形状を保護管体１の内周面１ａに沿う形状にしたものとし、前記保護管体１の端部から防水栓体３の内方栓体１２を差し込むことにより、この内方栓体１２を保護管体１に回り止めし、前記内方栓体１２の傾斜周面１５に第一防水リング１８を装着すると共に、この内方栓体１２のテーパ周面１７に第二防水リング１９を装着し、前記第一防水リング１８と前記外方栓体１１の内方周端１１ｂとの間にリング押体２０を介在させ、前記内方栓体１２の挿入孔１４に被覆導線Ｃが差し込まれた状態で、前記内方栓体１２のネジ溝１４ａに前記外方栓体１１のネジ溝１３ａをねじ込んでいき、前記第一防水リング１８を、前記内方栓体１２の傾斜周面１５に密着させると共に、前記保護管体１の内周面１ａに密着させ、前記第二防水リング１９を、前記内方栓体１２のテーパ周面１７に密着させると共に、前記被覆導線Ｃの外周面に密着させるようにしている。
【００１２】
そして、この発明の照明器具は、前記第一防水リング１８を、外方栓体１１の内方周端１１ｂとの間に介在させたリング押体２０と接触するようにした接触周面１８ａ、内方栓体１２の傾斜周面１５に接触するようにした傾斜周面１８ｂ、保護管体１の内周面１ａと接触するようにした外周面１８ｃを有したリングとし、前記第二防水リング１９を、外方栓体１１の挿入孔１３の段差部１３ｂと接触するようにした接触周面１９ａ、差し込まれた被覆導線Ｃの外周面と接触するようにした内周面１９ｂ、内方栓体１２のテーパ周面１７と接触するようにした傾斜周面１９ｃを有したリングとし、前記第一防水リング１８の傾斜周面１８ｂを前記内方栓体１２の傾斜周面１５に密着させると共に、第一防水リング１８の外周面１８ｃを前記保護管体１の内周面１ａに密着させ、前記第二防水リング１９の傾斜周面１９ｃを前記内方栓体１２のテーパ周面１７に密着させると共に、第二防水リング１９の内周面１９ｂを前記被覆導線Ｃの外周面に密着させるようにしている。
【００１３】
さらに、この発明の照明器具は、前記外方栓体１１の内方周端１１ｂに、前記第一防水リング１８の接触周面１８ａが、前記リング押体２０を間に挟んで押圧されることにより、この第一防水リング１８が前記傾斜周面１５に沿って弾性変形し、さらに前記外方栓体１１の挿入孔１３の段差部１３ａに、前記第二防水リング１９が押圧されることにより、この第二防水リング１９が前記テーパ周面１７に沿って弾性変形するようにしている。
【００１４】
また、この発明の照明器具は、前記内方栓体１２の傾斜周面１５の傾斜角α１ および第一防水リング１８の傾斜周面１８ｂの傾斜角α２ を、１５〜４５度にし、内方栓体１２のテーパ周面１７の傾斜角β１ および第二防水リング１９の傾斜周面１９ｃの傾斜角β２ を、１５〜４５度にしたものとしている。
【００１５】
さらに、この発明の照明器具は、前記第一防水リング１８の外周面１８ｃを、二個の凸外周面の間に一個の凹外周面を形成したものとしている。
【発明の効果】
【００１６】
この発明の照明器具は、以上に述べたように構成されており、内方栓体や保護管体の構造を簡略化することができたので、コスト面で有利なものとなった。
【００１７】
また、この発明の照明器具は、保護管体の直径を小さくすることができたので、嵩張ることなく、小型化できるものとなった。
【００１８】
さらに、この発明の照明器具は、水密状態を保つために、保護管体への防水栓体のねじ込み操作を一度行なえばよいものとしたので、蛍光灯などの光源を取り替えたり、保守、点検をするのが容易なものとなった。
【図面の簡単な説明】
【００１９】
【図１】この発明の照明器具の一実施形態を示す側面図である。
【図２】この発明の照明器具の保護管体を外した状態を示す斜視図である。
【図３】この発明の照明器具の保護管体の一部省略斜視図である。
【図４】図２中の円ａで囲んだ部分の防水栓体を外した状態を示す拡大図。
【図５】図２中の円ｂで囲んだ部分の防水栓体を外した状態を示す拡大図。
【図６】図１中のＡ−Ａ線によるこの発明の照明器具の断面図である。
【図７】図１中のＢ−Ｂ線によるこの発明の照明器具の断面図である。
【図８】この発明の照明器具の防水栓体の外方栓体を示しており、（ａ）は外端側から見た斜視図であり、（ｂ）は内端側から見た斜視図であり、（ｃ）は断面図である。
【図９】この発明の照明器具の防水栓体の内方栓体を示しており、（ａ）は外端側から見た斜視図であり、（ｂ）は内端側から見た斜視図であり、（ｃ）は断面図である。
【図１０】この発明の照明器具の第一防水リングを示しており、（ａ）は外端側から見た斜視図であり、（ｂ）は正面図であり、（ｃ）は（ｂ）中のＣ−Ｃによる断面図である。
【図１１】この発明の照明器具の第二防水リングを示しており、（ａ）は内端側から見た斜視図であり、（ｂ）は側面図であり、（ｃ）は断面図である。
【図１２】この発明の照明器具のリング押体を示しており、（ａ）は外端側から見た斜視図であり、（ｂ）は内端側から見た斜視図である。
【図１３】従来の照明器具の一例を示す側面図である。
【図１４】従来の照明器具の一端の分解斜視図である。
【図１５】従来の照明器具の防水栓体の内方栓体の分解斜視図である。
【図１６】従来の照明器具の一端を分解した状態の断面図である。
【図１７】従来の照明器具の一端の断面図である。
【発明を実施するための形態】
【００２０】
以下、この発明の照明器具の実施の形態を、図面に基づいて詳細に説明する。
【００２１】
この発明の照明器具は、図１、２に示したように、透光性とした合成樹脂からなる保護管体１の内部に光源２が収容され、この保護管体１の両端部には着脱式の防水栓体３がそれぞれ取り付けられている。なお、前記光源２としては、一般的には蛍光灯としているが、発光ダイオードなどとすることもでき、特に限定されるものではない。
【００２２】
前記保護管体１は、図３に示したように、角パイプなどとすることにより、内周面１ａの断面形状を多角形にしているが、長円形にすることもできる。前記保護管体１を多角形にした場合には、図示したように、角を丸めたものとすることもでき、四角形以上の多角形にするのが内面積が広くなるので好ましい。また、前記保護管体１を長円形にした場合には、正円形に近づけたものとするのが内面積が広くなるので好ましい。なお、ここで言う長円形とは、二つの半円を直線で繋いだ陸上競技のトラックのような形状に限らず、正円形でないものを言い、卵形や楕円形なども含むものとする。
【００２３】
前記保護管体１には、前記光源２を蛍光灯とした場合には、この蛍光灯の他に、蛍光灯の両端を支持して蛍光灯を着脱自在として取り付けるためのソケット４が設けられた支持体５が収容されており、さらに前記蛍光灯のスターターや安定器などが内蔵されたインバータケース６がこの支持体５に取り付けられて収容されている。前記支持体５は、長尺の板状体としており、前記蛍光灯の両端を支持するソケット４が取り付けられた面を、蛍光灯から発せられる光の反射効率をよくするために、反射面とすることができる。また、前記ソケット４が取り付けられた面の裏面には、前記蛍光灯の両端を支持するソケット４に連結される電線（図示せず）が配線されている。さらに、前記保護管体１には、必要に応じ、両端外部に照明器具を横方向に吊り下げておくための吊り具（図示せず）や、一端外部に照明器具を縦方向に吊り下げておくための吊り具（図示せず）が取り付けられている。
【００２４】
前記防水栓体３は、図６〜９に示したように、外方栓体１１と内方栓体１２とからなる。外方栓体１１は、略円筒状に形成しており、外周面に凹凸１１ａを形成して把持し易くしており、内部を挿入孔１３とし、内周面にネジ溝１３ａを形成している。内方栓体１２は、内部を挿入孔１４とし、外方端と内方端の中間部に傾斜周面１５を形成し、外方端側を小径とし、この小径部の外周面にネジ溝１４ａを形成し、内周面の端部にテーパ周面１７を形成し、内方端側を大径とし、この大径部の外周面の断面形状を保護管体１の内周面１ａに沿う形状にしている。この内方栓体１２は、傾斜周面１５には図１０に示したような、ゴムや合成樹脂などからなる弾性変形可能な第一防水リング１８が装着され、テーパ周面１７には図１１に示したような、ゴムや合成樹脂などからなる弾性変形可能な第二防水リング１９が装着されている。
【００２５】
前記第一防水リング１８は、外方栓体１１の内方周端１１ｂとの間に介在させたリング押体２０と接触するようにした接触周面１８ａ、内方栓体１２の傾斜周面１５に接触するようにした傾斜周面１８ｂ、保護管体１の内周面１ａと接触するようにした外周面１８ｃを有したリングとしている。なお、前記傾斜周面１５の傾斜角α１ および傾斜周面１８ｂの傾斜角α２ は、１５〜４５度にするのが、この傾斜周面１５に沿って第一防水リング１８を押圧して密着させるときに、この第一防水リング１８との接触面積が広くなるものとなる。さらに、前記第一防水リング１８の接触周面１８ａは、略垂直周面にするのが、リング押体２０によって押圧されるときに、垂直面どうしの接触となり、押圧され易いものとなる。また、前記第一防水リング１８の外周面１８ｃは、一個の凸状外周面としたものとしてもよいが、二個の凸外周面に間に一個の凹外周面を形成したものとすれば、保護管体１の内周面１ａに密着するときに、これら二個の凸外周面の内周面１ａとの密着部の間に一個の凹外周面による空間部が形成されることになり、万一、水が漏れても、この空間部に漏れた水が一旦、溜められることによって、水密状態がより保たれるものとなる。
【００２６】
前記第二防水リング１９は、外方栓体１１の挿入孔１３の段差部１３ｂと接触するようにした接触周面１９ａ、差し込まれた被覆導線Ｃの外周面と接触するようにした内周面１９ｂ、内方栓体１２のテーパ周面１７と接触するようにした傾斜周面１９ｃを有したリングとしている。なお、前記テーパ周面１７の傾斜角β１ および傾斜周面１９ｃの傾斜角β２ は、１５〜４５度にするのが、このテーパ周面１７に沿って第二防水リング１９を押圧して密着させるときに、この第二防水リング１９との接触面積が広くなるものとなる。さらに、前記第二防水リング１９の接触周面１９ａは、略垂直周面にするのが、前記段差部１３ｂによって押圧されるときに、垂直面どうしの接触となり、押圧され易いものとなる。
【００２７】
前記被覆導線Ｃは、その両端部または両端部近傍が、支持体５の両端部に設けられた支持部５ａにそれぞれ支持され、これら支持部５ａにビス２１によってそれぞれ止着されるようにしている。
【００２８】
そこで、この発明の照明器具は、前記保護管体１の端部から防水栓体３の内方栓体１２を差し込むことにより、この内方栓体１２を保護管体１に回り止めする。次に、前記内方栓体１２の傾斜周面１５に第一防水リング１８を装着すると共に、この内方栓体１２のテーパ周面１７に第二防水リング１９を装着する。さらに、前記第一防水リング１８と防水栓体３の外方栓体１１の内方周端１１ｂとの間にリング押体２０を介在させ、前記内方栓体１２の挿入孔１４に被覆導線Ｃが差し込まれた状態で、前記内方栓体１２の外周面に形成したネジ溝１４ａに前記外方栓体１１の挿入孔１３に形成したネジ溝１３ａをねじ込んでいく。
【００２９】
すると、この外方栓体１１の内方周端１１ｂに、前記第一防水リング１８の接触周面１８ａが、前記リング押体２０を間に挟んで押圧されることにより、この第一防水リング１８が前記傾斜周面１５に沿って弾性変形して、第一防水リング１８の傾斜周面１８ｂがこの傾斜周面１５に密着すると共に、第一防水リング１８の外周面１８ｃが前記保護管体１の内周面１ａに密着する。
【００３０】
さらに、前記外方栓体１１の挿入孔１３の段差部１３ａに、前記第二防水リング１９が押圧されることにより、この第二防水リング１９が前記テーパ周面１７に沿って弾性変形して、第二防水リング１９の傾斜周面１９ｃがこのテーパ周面１７に密着すると共に、第二防水リング１９の内周面１９ｂが前記被覆導線Ｃの外周面に密着する。
【００３１】
したがって、この発明の照明器具は、このようにして保護管体１の両端に着脱式の防水栓体３を水密状態が保たれるようにして取り付けることができる。
【００３２】
以上に述べたようにこの発明の照明器具は、内方栓体１２には従来のような係止部に相当するものを設けなくてもよく、保護管体１の内周面１ａにも従来のような凸部を設けなくてもよくなったので、これら内方栓体１２や保護管体１の構造を簡略化することができ、コスト面で有利なものとなる。
【００３３】
また、この発明の照明器具は、保護管体１の内周面１ａに従来のような凸部を設けなくてもよくなったので、この保護管体１の直径を小さくすることができ、嵩張ることなく、小型化できるものとなる。
【００３４】
さらに、この発明の照明器具は、防水栓体３の外方栓体１１をねじ込み操作するだけで、第一防水リング１８および第二防水リング１９によって、水密状態が保たれるので、蛍光灯などの光源２を取り替えたり、保守、点検をするのが容易なものとなる。
【符号の説明】
【００３５】
１  保護管体
１ａ  内周面
２  光源
３  防水栓体
１１  外方栓体
１２  内方栓体
１３  挿入孔
１３ａ  ネジ溝
１４  挿入孔
１４ａ  ネジ溝
１５  傾斜周面
１７  テーパ周面
１８  第一防水リング
１８ａ  接触周面
１８ｂ  傾斜周面
１８ｃ  外周面
１９  第二防水リング
１９ａ  接触周面
１９ｂ  内周面
１９ｃ  傾斜周面
Ｃ  被覆導線
α１ 傾斜角
α２ 傾斜角
β１ 傾斜角
β２ 傾斜角
【図１】
0005464437.tif 000002
【図２】
0005464437.tif 000003
【図３】
0005464437.tif 000004
【図４】
0005464437.tif 000005
【図５】
0005464437.tif 000006
【図６】
0005464437.tif 000007
【図７】
0005464437.tif 000008
【図８】
0005464437.tif 000009
【図９】
0005464437.tif 000010
【図１０】
0005464437.tif 000011
【図１１】
0005464437.tif 000012
【図１２】
0005464437.tif 000013
【図１３】
0005464437.tif 000014
【図１４】
0005464437.tif 000015
【図１５】
0005464437.tif 000016
【図１６】
0005464437.tif 000017
【図１７】
0005464437.tif 000018